(57)【要約】【課題】機器構造を大きく且つ複雑にすることなく、且つ他のセンサ等に影響を生じる可能性のある永久磁石を機器操作用に持ち運ぶ必要もない、スイッチ機構を提供する。【解決手段】所定の磁界を感知するリードスイッチ３を機器１の内部に備え、リードスイッチ３により、その機器１における操作の切り替えを行う。リードスイッチ３は、リードリレー４，５を備え、磁気誘導に基づいて所定磁界を感知し、リードリレー４，５の接点を閉じる。このスイッチ機構は、永久磁石７及び強磁性体８を、リードスイッチ３に所定の磁界を感知させない状態で、すなわち磁気誘導を引き起こさないように、機器１の内に配設する。ユーザが、機器１の外部からその永久磁石７及び強磁性体８に、他の強磁性体（操作用強磁性体）９を近づけることで、リードスイッチ３に磁気誘導を引き起こさせてリードリレー４，５の接点が閉じ、機器操作が可能となる。【選択図】　　　　図１
2004146105.tif 000002
【特許請求の範囲】
【請求項１】
所定の磁界を感知する磁界感知手段を機器内部に備え、該磁界感知手段により該機器における操作の切り替えを行うスイッチ機構であって、永久磁石を、前記磁界感知手段に前記所定の磁界を感知させない状態で、前記機器内に配設し、ユーザが前記機器の外部から前記永久磁石に磁性体を近づけ、前記磁界感知手段に磁気誘導を引き起こした結果、磁路を構成することにより、前記機器の操作の切り替えを可能としたことを特徴とするスイッチ機構。
【請求項２】
所定の磁界を感知する磁界感知手段を機器内部に備え、該磁界感知手段により該機器における操作の切り替えを行うスイッチ機構であって、永久磁石及び磁性体を、前記磁界感知手段に前記所定の磁界を感知させない状態で、前記機器内に配設し、ユーザが前記機器の外部から前記永久磁石及び前記磁性体に他の磁性体を近づけ、前記磁界感知手段に磁気誘導を引き起こした結果、磁路を構成することにより、前記機器の操作の切り替えを可能としたことを特徴とするスイッチ機構。
【請求項３】
前記磁界感知手段は、リードスイッチ，磁気抵抗素子，ホール素子など、磁界の検出により反応する素子であることを特徴とする請求項１又は２記載のスイッチ機構。
【請求項４】
２つの軟磁性金属片をもつリードスイッチを機器内部に備え、該リードスイッチにより該機器における操作の切り替えを行うスイッチ機構であって、永久磁石を前記リードスイッチの一方の軟磁性金属片側に配設し、ユーザが前記機器の外部から前記永久磁石に磁性体を近づけ、前記２つの軟磁性金属片に磁気誘導を引き起こした結果、磁路を構成することにより、前記機器の操作の切り替えを可能としたことを特徴とするスイッチ機構。
【請求項５】
２つの軟磁性金属片をもつリードスイッチを機器内部に備え、該リードスイッチにより該機器における操作の切り替えを行うスイッチ機構であって、永久磁石と磁性体とを前記リードスイッチの各々別の軟磁性金属片側に配設し、ユーザが前記機器の外部から前記永久磁石及び前記磁性体に他の磁性体を近づけ、前記２つの軟磁性金属片に磁気誘導を引き起こした結果、磁路を構成することにより、前記機器の操作の切り替えを可能としたことを特徴とするスイッチ機構。
【請求項６】
前記機器内に、前記磁性体の代わりにもう１つの永久磁石を埋めこむことを特徴とする請求項２又は５記載のスイッチ機構。
【請求項７】
前記永久磁石と、前記機器内に埋め込む磁性体とを同じ大きさとすることを特徴とする請求項１乃至６のいずれか１記載のスイッチ機構。
【請求項８】
請求項１乃至７のいずれか１記載のスイッチ機構を備えた機器。
【発明の詳細な説明】
【０００１】
【発明の属する技術分野】
本発明は、スイッチ機構及び機器に関し、より詳細には、特に屋外に設置する機器に好適な、隔壁を介して機器の操作の切り替えを行うスイッチ機構、及びそのスイッチ機構を備えた機器に関する。
【０００２】
【従来の技術】
通常、種々の機器は、操作パネルや単体のスイッチから、各種モードやパラメータの設定などの機器操作がなされる。特に、屋外などの防水，防爆が必要な場所に設置する機器は、隔壁を介して機器内のスイッチを切り替え、操作がなされる。
【０００３】
図６は、従来技術による屋外機器用のスイッチ機構の一構成例を示す図で、図６中、４１は機器、４２は機器４１の外筐としての隔壁、４３はリードスイッチ、４４，４５はリードリレー、４６はスイッチ部の隔壁、４７はノック式押下ボタン、４８はスプリング、４９は永久磁石、をそれぞれ示している。
【０００４】
隔壁４６には、リードスイッチ４３，ノック式押下ボタン４７からなるスイッチ機構が設けられている。リードスイッチ４３は一対のリードリレー４４，４５が非接続（ＯＦＦ）の状態で備えられ、磁石などにより所定の磁界を感知するとリードリレー４４，４５が接続することでＯＮとなるスイッチである。この所定の磁界を発生／消去させるために、ノック式押下ボタン４７は、リードスイッチ４３側に押下することで、内部に格納した永久磁石４９を矢視の方向に移動させ、矢先の表示（ＯＮ／ＯＦＦ）に応じた所定の位置に、スプリング４８及びフック（図示せず）により固定可能となっている。或いは、図示したようにフックを備えず、押下することでＯＮとなり、押下した手を離すことでスプリング４８により元の位置に戻りＯＦＦとなる（結果としてＯＮとした押し込み毎に機器の操作が進む）、といった形態を採用してもよい。また、ここで所定の位置とは、ＯＮ／ＯＦＦに応じてリードリレー４４，４５の接続の有／無、すなわち永久磁石４９による磁界のリードリレー４４，４５への影響の有／無（リードリレー４４，４５を接続するに足りる磁界がそこに有るか無いか）が、区別可能な離間した２つの位置（ＯＮ用及びＯＦＦ用）を指す。
【０００５】
しかしながら、上述のごとく永久磁石が操作要素となってリードスイッチを作動させる場合、リードスイッチのＯＮ／ＯＦＦのヒステリシスが大きく、その分大きなストローク（永久磁石４９の移動ストローク）が必要になり、構造面で大きく且つ複雑になる。
【０００６】
図７は、従来技術による屋外機器用のスイッチ機構の他の構成例を示す図で、図７中、５１は機器、５２は機器５１の外筐としての隔壁、５３はリードスイッチ、５４，５５はリードリレー、５６はスイッチ部の隔壁、５９は永久磁石、をそれぞれ示している。
【０００７】
隔壁５６には、リードスイッチ５３からなるスイッチ機構が設けられている。リードスイッチ５３は一対のリードリレー５４，５５が非接続（ＯＦＦ）の状態で備えられ、磁石などにより所定の磁界を感知するとリードリレー５４，５５が接続することでＯＮとなるスイッチである。この所定の磁界を発生／消去させるために、ユーザは、リードスイッチ５３側に永久磁石５９を移動させて所定の位置に近づけたり（矢先の表示ＯＮ）、逆側に移動させて遠ざけたりする（矢先の表示ＯＦＦ）。結果としてＯＮとする移動（永久磁石の接近）毎に機器の操作が進む。）、といった形態を採用してもよい。また、ここで所定の位置とは、リードリレー５４，５５の接続がなされる位置、すなわち永久磁石５９による磁界のリードリレー５４，５５への影響が生じうる位置（リードリレー５４，５５を接続するに足りる磁界がそこに有る位置）内を指す。
【０００８】
しかしながら、上述のごとく永久磁石を機器構造に組み込まない場合、それ自体が磁性を持っているため、他のセンサ等に悪影響を及ぼす可能性がある。すなわち、永久磁石を機器内に組み込むことで予めその永久磁石による他のセンサ等への影響を考慮できるが、組み込まない場合には、ユーザが永久磁石を自由に移動させることが可能であり、特にスイッチ機構近辺以外の場所或いは他の機器へその永久磁石を近づけてしまう可能性があり、その場合センサ等への影響は避け難いものとなる。さらに、ユーザは永久磁石を所定の場所に保管しておくか、持ち歩く必要があり、仮に他のセンサ等に影響を及ぼす領域を横切らないとしても、持ち運び自体が面倒である。
【０００９】
【発明が解決しようとする課題】
本発明は、上述のごとき実情に鑑みてなされたものであり、機器構造を大きく且つ複雑にすることなく、且つ他のセンサ等に影響を生じる可能性のある永久磁石を機器操作用に持ち運ぶ必要もない、スイッチ機構、及びそのスイッチ機構を備えた機器を提供することをその目的とする。
【００１０】
【課題を解決するための手段】
本発明は、上述の課題を解決するために、以下の技術手段により構成される。第１の技術手段は、所定の磁界を感知する磁界感知手段を機器内部に備え、該磁界感知手段により該機器における操作の切り替えを行うスイッチ機構であって、永久磁石を、前記磁界感知手段に前記所定の磁界を感知させない状態で、前記機器内に配設し、ユーザが前記機器の外部から前記永久磁石に磁性体を近づけ、前記磁界感知手段に磁気誘導を引き起こした結果、磁路を構成することにより、前記機器の操作の切り替えを可能としたことを特徴としたものである。
【００１１】
第２の技術手段は、所定の磁界を感知する磁界感知手段を機器内部に備え、該磁界感知手段により該機器における操作の切り替えを行うスイッチ機構であって、永久磁石及び磁性体を、前記磁界感知手段に前記所定の磁界を感知させない状態で、前記機器内に配設し、ユーザが前記機器の外部から前記永久磁石及び前記磁性体に他の磁性体を近づけ、前記磁界感知手段に磁気誘導を引き起こした結果、磁路を構成することにより、前記機器の操作の切り替えを可能としたことを特徴としたものである。
【００１２】
第３の技術手段は、第１又は第２の技術手段において、前記磁界感知手段は、リードスイッチ，磁気抵抗素子，ホール素子など、磁界の検出により反応する素子であることを特徴としたものである。
【００１３】
第４の技術手段は、２つの軟磁性金属片をもつリードスイッチを機器内部に備え、該リードスイッチにより該機器における操作の切り替えを行うスイッチ機構であって、永久磁石を前記リードスイッチの一方の軟磁性金属片側に配設し、ユーザが前記機器の外部から前記永久磁石に磁性体を近づけ、前記２つの軟磁性金属片に磁気誘導を引き起こした結果、磁路を構成することにより、前記機器の操作の切り替えを可能としたことを特徴としたものである。
【００１４】
第５の技術手段は、２つの軟磁性金属片をもつリードスイッチを機器内部に備え、該リードスイッチにより該機器における操作の切り替えを行うスイッチ機構であって、永久磁石と磁性体とを前記リードスイッチの各々別の軟磁性金属片側に配設し、ユーザが前記機器の外部から前記永久磁石及び前記磁性体に他の磁性体を近づけ、前記２つの軟磁性金属片に磁気誘導を引き起こした結果、磁路を構成することにより、前記機器の操作の切り替えを可能としたことを特徴としたものである。
【００１５】
第６の技術手段は、第２又は第５の技術手段において、前記機器内に、前記磁性体の代わりにもう１つの永久磁石を埋めこむことを特徴としたものである。
【００１６】
第７の技術手段は、第１乃至第６のいずれか１の技術手段において、前記永久磁石と、前記機器内に埋め込む磁性体とを同じ大きさとすることを特徴としたものである。
【００１７】
第８の技術手段は、第１乃至第７のいずれか１の技術手段におけるスイッチ機構を備えた機器である。
【００１８】
【発明の実施の形態】
図１は、本発明の一実施形態に係るスイッチ機構の一構成例を示す図である。また、図２は、本発明の一実施形態に係るスイッチ機構のスイッチング動作を説明するための図で、図２（Ａ），（Ｂ）はそれぞれ図１のスイッチ機構におけるＯＦＦ，ＯＮ時の様子を示す図、図２（Ｃ）は、スイッチ機構の他の構成例におけるＯＮ時の様子を示す図である。図中、１は機器、２は機器１の外筐としての隔壁、３はリードスイッチ、４，５はリードリレー、６はスイッチ部の隔壁、７は永久磁石、８は強磁性体、９は他の強磁性体、をそれぞれ示している。
【００１９】
本発明に係るスイッチ機構は、所定の磁界を感知する磁界感知手段を機器１の内部に備え、磁界感知手段により、その機器１における操作の切り替えを（操作表示部をユーザがみながら）行う機構である。磁界感知手段は、磁気誘導に基づいて所定磁界を感知する手段であり、機器１から露出せず外筐の隔壁２（ここではスイッチ部の隔壁６）を介して配設される。なお、ここでの機器とは、ある装置における遠隔操作用のスイッチ装置などもその形態として含むものとする。また、本発明としては、本実施形態を含め各実施形態で説明するスイッチ機構を有する機器（操作表示部を有する機器）としての形態も採用可能である。以下、本実施形態においては、磁界感知手段の一例として、リードスイッチ３を挙げ、説明する。
【００２０】
さらに、本発明に係るスイッチ機構は、永久磁石（フェライト永久磁石等）７及び強磁性体８を、リードスイッチ３に所定の磁界を感知させない状態で、すなわち磁気誘導を引き起こさないように、機器１の内（外壁も可）に配設している。
【００２１】
そして、ユーザが、機器１の外部からその永久磁石７及び強磁性体８に、他の強磁性体（操作用強磁性体ともいえる）９を近づけることにより、リードスイッチ３に磁気誘導（磁気誘導現象）を引き起こさせて、機器操作を行わせることを可能とする。すなわち、本発明に係るスイッチ機構は、磁石ではなく純鉄，鉄，継鉄等の操作用強磁性体９の接近に伴い、隔壁６を介してリードスイッチ３等の磁界感知手段を動作させ、磁界感知手段にて感知した磁界に基づいて、機器１の操作の切り替えを可能としている。このことは、操作用強磁性体９を永久磁石７及び強磁性体８に近づけることで、リードスイッチ３のリードリレー４，５の磁気抵抗を減少させ、好適な磁気通路（磁路）を形成するともいえる。なお、非操作時において、強磁性体８が永久磁石７により磁化しない状態で配置されることが、リードスイッチ３への影響の変化を鑑みると好ましい。
【００２２】
ただし、操作用強磁性体９は、少なくとも、永久磁石７により永久磁石７，操作用強磁性体９，強磁性体８，リードスイッチ３のリードリレー５，同じくリードリレー４を循環する磁路が形成されるよう、近づける必要がある。なお、このユーザの操作は比較的精密なものでなくともよいことは、そのような磁路の形成が多少の位置ずれによって阻害されることがないことを鑑みれば理解できる。また、本発明は、操作用強磁性体９それ自体が磁力を持たないものに好適なものとしているが、操作用強磁性体９が磁化したものであっても（或いは代わりに操作用永久磁石を用いても）、近づける際の位置に加え、磁極の向きさえあっていれば、リードスイッチ３に磁気誘導を引き起こすことが可能となる。また、使用する操作用強磁性体９としては、別途用意することもなく、近隣にある鉄片やドライバなどの工具など磁路を構成することが可能な、様々なものが利用可能であり、便利である。また、本発明では、永久磁石７の磁化力に依っては強磁性体８，操作用強磁性体９のいずれか又は双方の代わりに弱磁性体を使用してもよい。
【００２３】
図１及び図２（Ａ），（Ｂ）で説明する構成例においては、隔壁６には、リードスイッチ３，永久磁石７，強磁性体８からなるスイッチ機構が設けられている。リードスイッチ３は、接点となる一対の軟磁性金属片（軟磁性体のリードリレー）４，５が非接続（ＯＦＦ）の状態で備えられ（図２（Ａ）参照）、操作用強磁性体９により所定の磁界を感知するとリードリレー４，５が接続することでＯＮとなる（図２（Ｂ）参照）、スイッチである。この所定の磁界を発生／消去させるために、ユーザは、リードスイッチ３側に操作用強磁性体９を移動させて所定の位置に近づけたり（矢先の表示ＯＮ）、逆側に移動させて遠ざけたりする（矢先の表示ＯＦＦ）。結果として、ＯＮとする移動（操作用強磁性体９の接近）毎に機器の操作が進む、といった形態を採用してもよい。また、ここで所定の位置とは、リードリレー４，５の接続がなされる位置であり、換言すると、操作用強磁性体９の接近によりリードリレー４，５への影響が生じ得る磁路（太い矢印で図示する）が形成される位置、すなわちリードリレー４，５を接続するに足りる磁界がそこに有る位置内を指す。なお、この構成例では、永久磁石７と強磁性体８とを、リードスイッチ３の各々別のリードリレー４，５側に配設し、ユーザが機器１の外部から永久磁石７と強磁性体８とを結ぶ線上付近に操作用強磁性体９を近づけることでスイッチングを行うことを可能としている。
【００２４】
一方、リードスイッチ３が、接点となる２枚のリードリレー４，５がユーザによる操作用強磁性体９の接近と共に、その接点を開くタイプである場合には、予め、永久磁石７や他の永久磁石により、その接点を閉じておき、操作用強磁性体９の接近により、逆方向の磁場を与え、もともと存在した磁場を打ち消すようにして接点を開くようにすればよい。
【００２５】
本実施形態によれば、機器１が屋外に設置する例えば流量計用変換器等の変換器など、防水，防爆構造をとり、隔壁をもつ構造をとる場合にも、そのスイッチを、他のセンサなどに影響を与えない一般的な鉄片，棒状鉄や一般的な電磁鋼板などの操作用強磁性体９により操作することが可能となる。一般的なリードスイッチの動作はマグネットを基本とするが、本実施形態では、他のセンサ等に影響のあるマグネットを移動させる方式を採用せずにリードスイッチ３を作動させることが可能となる。さらに、本実施形態によれば、永久磁石と例えば鉄とを機器１（或いは機材の容器ともいう）に埋め込むだけなので構成部品が少なく且つ簡単で、コスト面でも有益であり、さらに動作が簡易的である。固定された永久磁石７からの磁力がリードスイッチ３に働くが動作はしない状態の配置がなされており、操作用強磁性体９を近づけることで磁路を生じさせ、磁性抵抗を少なくし、リードスイッチ３が動作することとなる。流量形用変換器であれば、屋外に設置する積算カウンタの表示モードとリセットモードとの切り替えや、さらには表示モード内の流量表示モード，流速表示モードなどの切り替えなどに利用することも可能である。
【００２６】
また、図１及び図２（Ａ），（Ｂ）においては、機器１の製造の簡易さを考慮して永久磁石７及び強磁性体８を同等の大きさとして図示しているが、本発明は、これに限らず、例えば図２（Ｃ）に示すように、強磁性体８の代わりにさらに磁化し易いよう大きな（或いはリードスイッチ３のリードリレー５に接近した）強磁性体８′を配設してもよい。この場合、他の条件（永久磁石７の磁力の強さや使用する強磁性体８（／８′），９の性質や、それらの物理的な距離など）が同じであれば、操作用強磁性体９をあまり近づけなくともリードスイッチ３は動作することになる（図２（Ｂ），（Ｃ）参照）。このように、永久磁石７と、機器１内に埋め込む強磁性体８とを同じ大きさとしてもよいし、異なる大きさとしてもよいが、リードスイッチ３の感度を上げるようにそれらの大きさ及び距離（リードスイッチ３との距離を含む）などを調整して配設することが好ましい。なお、強磁性体８′に関しても上述したように弱磁性体であってもよい。
【００２７】
また、本発明の他の実施形態として、機器１内に、強磁性体８の代わりにもう１つの永久磁石を埋め込むようにしても同様の効果が得られる。ただし、この場合には２つの永久磁石の磁極を考慮して操作用強磁性体９によるスイッチングが可能なよう機器１を製造する必要がある。例えば、図２（Ａ）で示す位置関係でいうと、永久磁石７の磁極と、強磁性体８の代わりの永久磁石の磁極とが上下逆になっていればよい。
【００２８】
また、本発明の他の実施形態として、強磁性体８を不要とし永久磁石７だけを同様に機器１内に配設しても同様の効果が得られる。実際、永久磁石７をリードスイッチ３の一方のリードリレー側に配設すればよい。以下、この形態についての詳細な説明を省略するが、永久磁石７のみを配設した場合にも基本的な考え方は同じであり、リードスイッチ３に対する永久磁石７の配置場所に注意を払うべきである。実際、永久磁石７を、リードスイッチ３に所定の磁界を感知させない状態で、すなわち磁気誘導を引き起こさないように、機器１の内（外壁も可）に配設すればよい。
【００２９】
そして、ユーザがその機器１の外部から永久磁石７に操作用強磁性体９を近づけ（実際にはリードリレー４に操作用強磁性体９の片側をリードリレー５にその他方側を近づけ）、リードスイッチ３に磁気誘導を引き起こして、機器操作を行うこととなる。ただし、操作用強磁性体９は、詳細を後述する最初の実施形態と同様の位置に近づけることが好ましく、少なくとも、永久磁石７により永久磁石７，操作用強磁性体９，リードスイッチ３のリードリレー５，同じくリードリレー４を循環する磁路が形成されるよう、近づける必要がある。なお、このユーザの操作は比較的精密なものでなくともよいことは、そのような磁路の形成が多少の位置ずれによって阻害されることがないことを鑑みれば理解できる。また、操作用強磁性体９が磁化したものであっても近づける際の位置に加え、磁極方向さえあっていれば、リードスイッチ３に磁気誘導を引き起こすことが可能となる。
【００３０】
図３は、本発明の他の実施形態に係るスイッチ機構の一構成例を示す図で、図４は、図３のスイッチ機構におけるスイッチング動作を説明するための図である。図中、１１は機器、１２は機器１１の外筐としての隔壁、１３はホール素子、１６はスイッチ部の隔壁、１７は永久磁石、１８は強磁性体、１９は他の強磁性体、をそれぞれ示しており、図１及び図２で説明した各実施形態と異なる部分を中心として同様の部分を省略して説明する。
【００３１】
図３及び図４で説明する実施形態に係るスイッチ機構は、磁界感知手段の一例としてホール素子１３を有する。ホール素子１３は、ホール効果を利用した半導体素子であり、本発明に適用する場合、磁気センサとして使用される一般的なものでよい。
【００３２】
本実施形態に係るスイッチ機構では、操作用強磁性体１９を矢視ＯＮの方向に近づけた時に磁界が磁束密度Ｂとして太矢印で図示する方向に生じるよう、ホール素子１３と永久磁石１７及び強磁性体１８とを、配設している。ホール素子１３の端子ａ，ｃに電流Ｉｃを矢視の方向に流しておき、ユーザが操作用強磁性体１９を接近させることにより、その電流Ｉｃと垂直な方向に磁場（磁束密度Ｂ：太線の循環で図示する磁路）を生じせしめ、ホール素子１３の両極１４，１５（端子ｄ，ｂ）間に電圧ＶＨ（Ｂ，Ｉｃの方向にそれぞれ垂直な方向）を発生させる。この電圧により機器１１の操作が可能となる。なお、強磁性体１８，１９に関しても上述したようにいずれか又は双方が弱磁性体であってもよい。
【００３３】
図５は、本発明の他の実施形態に係るスイッチ機構の一構成例を示す図で、スイッチング動作を説明するための図である。図中、２１は機器、２２は機器２１の外筐としての隔壁、２３はＭＲ（Ｍａｇｎｅｔｏ−Ｒｅｓｉｓｔａｎｃｅ）センサ、２６はスイッチ部の隔壁、２７は永久磁石、２８は強磁性体、２９は他の強磁性体、をそれぞれ示しており、図１及び図２で説明した各実施形態と異なる部分を中心として同様の部分を省略して説明する。
【００３４】
図５で説明する実施形態に係るスイッチ機構は、磁界感知手段の一例としてＭＲセンサ２３を有する。ＭＲセンサ２３（半導体ＭＲ素子ともいう）は、強磁性体の磁気抵抗素子からなり、磁界によって抵抗値が変化する磁気抵抗効果をもつ半導体薄膜センサであり、本発明に適用する場合、磁気センサとして使用される一般的なものでよい。ＭＲセンサは微小な磁界の検出も可能であり、本発明に好適である。また、磁気センサとしては、他に、ＡＭＲ（異方性磁気抵抗）センサＧＭＲ（巨大磁気抵抗）センサ等を同様に利用してもよい。
【００３５】
本実施形態に係るスイッチ機構では、操作用強磁性体２９を矢視ＯＮの方向に近づけた時に磁界Ｈが、矢印付き循環で図示する方向に生じるよう、ＭＲセンサ２３と永久磁石２７及び強磁性体２８とを、配設している。ＭＲセンサ２３は、ユーザが操作用強磁性体２９を接近させることにより、磁場Ｈを生じせしめ、磁界が印加されることでその中を流れる電流の道のりが長くなって抵抗が増加するが、この抵抗を検出することで機器２１の操作が可能となる。なお、強磁性体２８，２９に関しても上述したようにいずれか又は双方が弱磁性体であってもよい。
【００３６】
【発明の効果】
本発明によれば、機器構造を大きく且つ複雑にすることなく、且つ他のセンサ等に影響を生じる可能性のある永久磁石を機器操作用に持ち運ぶ必要もない、スイッチ機構、及びそのスイッチ機構を備えた機器を提供することができる。
【図面の簡単な説明】
【図１】本発明の一実施形態に係るスイッチ機構の一構成例を示す図である。
【図２】本発明の一実施形態に係るスイッチ機構のスイッチング動作を説明するための図である。
【図３】本発明の他の実施形態に係るスイッチ機構の一構成例を示す図である。
【図４】図３のスイッチ機構におけるスイッチング動作を説明するための図である。
【図５】本発明の他の実施形態に係るスイッチ機構の一構成例を示す図である。
【図６】従来技術による屋外機器用のスイッチ機構の一構成例を示す図である。
【図７】従来技術による屋外機器用のスイッチ機構の他の構成例を示す図である。
【符号の説明】
１，１１，２１…機器、２，１２，２２…機器の隔壁、３…リードスイッチ、４，５…リードリレー、６，１６，２６…スイッチ部の隔壁、７，１７，２７…永久磁石、８，８′，１８，２８…強磁性体、９，１９，２９…他の強磁性体（操作用強磁性体）、１３…ホール素子、２３…ＭＲセンサ。
【図１】
2004146105.tif 000003
【図２】
2004146105.tif 000004
【図３】
2004146105.tif 000005
【図４】
2004146105.tif 000006
【図５】
2004146105.tif 000007
【図６】
2004146105.tif 000008
【図７】
2004146105.tif 000009